(57)【要約】【課題】  表面にエンボス加工がなされたエンボスシート上に、画像抜けのない良好な画像を形成するための、画像形成装置を提供する。【解決手段】  記録材１上に画像を作像する作像手段２と、記録材１の種類に応じてエンボスシートモード又は非エンボスシートモードを選択するモード選択手段３と、このモード選択手段３によって選択されたモードに基づいて作像手段２を制御せしめる作像制御手段４とを備える。【選択図】  図１
2005062473.tif 000002
【特許請求の範囲】
【請求項１】
記録材上に画像を作像する作像手段と、
記録材の種類に応じてエンボスシートモード又は非エンボスシートモードを選択するモード選択手段と、
このモード選択手段によって選択されたモードに基づいて作像手段を制御せしめる作像制御手段とを備えたことを特徴とする画像形成装置。
【請求項２】
請求項１記載の画像形成装置において、
作像制御手段は、エンボスシートモード選択時、像担持体上のトナー像の層厚を小さくするように作像手段を制御せしめることを特徴とする画像形成装置。
【請求項３】
請求項１記載の画像形成装置において、
作像制御手段は、エンボスシートモード選択時、露光条件を変更するように作像手段を制御せしめることを特徴とする画像形成装置。
【請求項４】
請求項１記載の画像形成装置において、
作像制御手段は、エンボスシートモード選択時、現像バイアスを変更するように作像手段を制御せしめることを特徴とする画像形成装置。
【請求項５】
請求項１記載の画像形成装置において、
作像制御手段は、エンボスシートモード選択時、下色除去を行うように作像手段を制御せしめることを特徴とする画像形成装置。
【請求項６】
請求項１記載の画像形成装置において、
モード選択手段には、記録材の凹凸深さによって、エンボスシートか否かを判別する判別手段を備えていることを特徴とする画像形成装置。
【請求項７】
請求項１記載の画像形成装置において、
エンボスシートとして、型を用いて表面に凹凸模様を設けられたシートを使用することを特徴とする画像形成装置。
【請求項８】
請求項１記載の画像形成装置において、
エンボスシートとして、凹凸深さが３０μｍ以上のシートを使用することを特徴とする画像形成装置。
【発明の詳細な説明】
【技術分野】
【０００１】
本発明は、複写機やプリンタ等の画像形成装置に係り、特に、記録材としてシート表面に凹凸加工がなされた所謂エンボスシート上に画像を形成する画像形成装置の改良に関する。
【背景技術】
【０００２】
従来、カラー複写機やプリンタ等では、記録材として上質紙等の専用シートを用いる場合、最良の画質が得られるように現像条件や転写条件等各部の最適化が行われている。
従来において、記録材の表面に着目し、良好な画像形成を行わせるようにした例としては、記録シートの表面粗さ、地合い及び平滑度等によって、転写電流を上げたり、転写圧力を上げたり、更に、シート転移前のトナー量を多くするように露光条件や現像条件を制御する方法等が提示されている（例えば特許文献１〜３参照）。
ところで、最近のグラフィックアート市場で用いられる記録材として、型を用いて、表面に凹凸模様をつけたエンボスシートが多用される様になってきているが、従来、ゼログラフィでエンボスシート上に良好な画像を形成する提示はなされていない。
【０００３】
【特許文献１】特開２００２−１５６８３９号公報（発明の実施の形態の欄、図２，図３）
【特許文献２】特開２００２−２０２６３８号公報（発明の実施の形態の欄）
【特許文献３】特開２００１−３３７４９６号公報（発明の実施の形態の欄、図１）
【特許文献４】特公昭４６−４１６７９号公報（発明の詳細な説明の欄、第２図）
【発明の開示】
【発明が解決しようとする課題】
【０００４】
上述した特許文献１〜３のうち、技術特許文献１には、記録シートの表面粗さに応じて、転写時の押圧力や転写時間を変化させ、記録シート表面が粗い場合は、押圧力をより強くしたり、転写時間を長くすることで、良好な画像を得ようとした提案がなされている。しかし、このように転写条件を変更し、トナー量をアップさせるようにエンボスシート上で画像形成を行っても、表面の凹凸が深いため、特に凹部の画像抜けが解消できない。
また、特許文献２には、厚紙や封筒等の特殊紙への画像形成時に、転写電流を上げたり、定着温度を上げたりすることで、転写不良や定着不良を防止する提案がなされている。しかし、この方法で、エンボスシートに画像形成を行っても、表面のトナー厚が増加するのみで凹部の画像抜けは解消されない。
更に、特許文献３には、記録シートそのものの地合いの影響を低減するため画像形成条件を変更する提案がなされている。しかし、この方法は、地合いに対する効果はあっても、エンボスシートに対する解決手段とはならず、画像抜けが発生する。
【０００５】
これらの問題に対し、別の観点から対応する方法として、中間転写体表面に十分軟らかい弾性層を設けることで、エンボスシートの凹部まで弾性層を押し当てる方法も考えられる（例えば特許文献４参照）。
しかしながら、この構成では感光体と中間転写体の間の摩擦が大きくなり、画素位置ずれ等の画質劣化が生じる。また、凹凸模様の周波数が高く振幅が大きい場合、すなわち、エンボスの凹凸が密に且つ深く配置されている場合には、中間転写体の弾性層を十分軟らかく、厚くしても、エンボスシート表面に追従できず、画像抜けは改善しない。
【０００６】
このように、エンボスシートは、塗工紙や非塗工紙に凹凸加工を施したものであるため、その形状や紙質は様々で、表面粗さ、地合い及び平滑度だけでは正確な表面の凹凸を正しく判断することができない。
また、エンボスシートでは凹部が１００μｍ以上のものもあり、例えば、転写電流を上昇させてもトナーとエンボスシート間のギャップによる放電のため、画質劣化が生じ、画像抜けも十分に改善できない。
一方、転写圧力を上昇させても、ポリイミド樹脂等の通常使用される中間転写ベルトでは、エンボスシートの凹凸に追従できず、ギャップがなくならないため、画像抜けは改善しない。
更に、露光や現像条件を変えてトナー量を多くしても、エンボスシートの凹みの深さに比べトナー層厚の変化は小さいことから、トナーとエンボスシート間のギャップがなくならず、画像抜けは改善しない。また、トナー層厚が厚くなることで、却って転写効率が悪化し、画像抜けが悪くなることにもなる。
本発明は、以上の技術的課題を解決するためになされたものであって、表面に凹凸加工がなされたエンボスシート上に、画像抜けのない良好な画像を形成するための、画像形成装置を提供するものである。
【課題を解決するための手段】
【０００７】
すなわち、本発明は、図１に示すように、記録材１上に画像を作像する作像手段２と、記録材１の種類に応じてエンボスシートモード又は非エンボスシートモードを選択するモード選択手段３と、このモード選択手段３によって選択されたモードに基づいて作像手段２を制御せしめる作像制御手段４とを備えたことを特徴とするものである。
【０００８】
このような技術的手段において、作像手段２は、像担持体上への帯電、露光及び現像の各行程から、記録材１への転写や定着の行程をも含む。
また、モード選択手段３への入力は、例えばスイッチ等を使用して記録材１の情報を手動で入力する態様でもよいし、別途自動で記録材１の判別を行った結果を入力する態様であっても差し支えない。
更に、モード選択手段３は、記録材１の厚みや表面の凹凸深さ等の情報を下に、記録材１がエンボスシートかどうかの選択を行うが、例えば手動で行う場合は、記録材１の型番等の情報を基に表面の凹凸深さや厚さの変化量等を判断する態様であってもよいし、例えば自動で、ＣＣＤカメラ等による表面観測で凹凸深さや厚みの変化量等から判断する態様であっても差し支えない。尚、エンボスシートかどうかのモード選択を行う情報は、一つの情報に基づく態様であってもよいし、複数の情報に基づく態様であっても差し支えない。
【０００９】
本発明では、エンボスシートモードは、１種類の態様であってもよいし、複数種備えた態様であっても差し支えない。後者の場合、通常、作像条件は複数の異なる条件を備えるようにすることが好ましい。
尚、エンボスシートとは、型を用いて表面に凹凸模様を設けたシートを指すが、アート紙やコート紙等の用紙に型による凹凸加工がなされた用紙、所謂エンボス紙を含み、通常の洋紙販売会社等で扱うレザック６６やボス等がこれに相当する。
更に、凹凸深さが３０μｍ未満の場合は、従来の転写条件等の処置を行うことで、本発明に関する作像条件の変更を行わなくてもよいことから、好ましくは、凹凸深さが３０μｍ以上のものをエンボスシートとして、エンボスシートモードでの作像を行うようにすることがよい。
【００１０】
本発明では、エンボスシート上の画像抜けを防ぐ観点からは、エンボスシートモード選択時、像担持体上のトナー像の層厚を小さくするように作像手段２を制御することが好ましい。
このトナー像の層厚を小さくするには、像担持体上の露光量を変更する態様と、現像バイアスを変更する態様があり、両者を同時に行ってもよいし、いずれか一方のみの態様であっても差し支えない。
また、露光量の変更は、例えばレーザビームを使用する態様においては、ビーム強度を変更してもよいし、ビームスポットサイズ等を変更してもよい。
【００１１】
更に、トナー像の層厚を小さくする他の態様としては、エンボスシートモード選択時、下色除去によって、Ｙ（イエロ），Ｍ（マゼンタ），Ｃ（シアン）の三色混色部分をＫ（ブラック）で置き換えることも可能である。
【００１２】
また、記録材１がエンボスシートか否かを自動的に判別する判別手段５をモード選択手段３に備える態様であってもよく、記録材１の凹凸深さ等により判別する態様が可能である。
そして、記録材１の凹凸深さによって自動的に判別する態様では、例えば、ＣＣＤカメラ等からの画像を、周波数解析装置や画像解析装置等を使用して判断する態様が可能である。
【発明の効果】
【００１３】
以上説明したように、本発明によれば、記録材の種類に応じてエンボスシートモードと非エンボスシートモードを選択し、選択されたモードに基づいて作像手段を制御するようにしたので、エンボスシートに合致した作像条件を選定することが可能になり、記録材がエンボスシートであっても、画像抜けが改善された良好な画像を形成することができる。
【発明を実施するための最良の形態】
【００１４】
以下、添付図面に示す実施の形態に基づいてこの発明を詳細に説明する。
◎実施の形態１
図２は、本発明が適用された画像形成装置の実施の形態１を示す。
同図において、画像形成装置１０は、カラー画像を形成可能な画像形成ユニット１１を備えたものである。
本実施の形態において、画像形成ユニット１１は、装置本体２０の上部に原稿を読み取るための画像読取りユニット２６を配設すると共に、その上方には画像読取りユニット２６に原稿を送るための原稿送り装置２７を配設する一方、装置本体２０の内部に作像モジュール２１を配設し、この作像モジュール２１の下方には多段のシート供給トレイ３１〜３４を配設するほか、装置本体２０の側部に手差しトレイ３５を開閉自在に配設したものである。
【００１５】
本実施の形態で用いられる作像モジュール２１は、例えば電子写真方式を採用したものであって、各色成分トナー像を形成担持する感光体ドラム２２を配置し、この感光体ドラム２２上の各色成分トナー像を中間転写ベルト２３に順次一次転写させ、例えば二次転写ロールからなる二次転写装置２４にて中間転写ベルト２３上の多重色成分トナー像を記録シートに二次転写させ、定着ユニット２５に導くようにしたものである。
【００１６】
ここで、感光体ドラム２２の周囲には、感光体ドラム２２を帯電する帯電器２２１、感光体ドラム２２上に静電潜像を書き込むレーザ走査装置などの露光装置２２２、各色成分トナーが収容されて感光体ドラム２２上の静電潜像を可視像化する現像装置２２３、感光体ドラム２２上の各色成分トナー像を中間転写ベルト２３上に転写せしめる例えば転写ロールからなる一次転写装置２２４及び感光体ドラム２２上の残留トナーを清掃するクリーナ２２５などの電子写真用デバイスが順次配設されている。
また、中間転写ベルト２３は複数の張架ロールに張架されて循環搬送されるものであり、前記二次転写装置２４が一つの張架ロールをバックアップロールとして対向配置されている。尚、符号２３１は中間転写ベルト２３を清掃するクリーナである。
【００１７】
更に、本実施の形態において、シート供給トレイ３１〜３４からの搬送経路４０は、装置本体２０の手差しトレイ３５側側方から上方に向かい、作像モジュール２１の二次転写部位、定着ユニット２５を経て排出トレイ５２側へ向かう主搬送経路４１と、この主搬送経路４１の出口付近の下方側に略Ｙ字状にて設けられ、記録シートの表裏を反転させて搬送する反転搬送経路４２と、この反転搬送経路４２の一部に連通接続され、表裏を反転した記録シートを再び作像モジュール２１前の主搬送経路４１に戻す戻し搬送経路４３とを備えている。
ここで、主搬送経路４１の二次転写部位の上流側には記録シートを位置決めした後に搬送するレジストロール４４が、二次転写部位の下流側には定着ユニット２５へ搬送する搬送ベルト４５が設けられ、各搬送経路４０には適宜数の搬送ロール４６が設けられている。また、前記反転搬送経路４２には記録シートの表裏を反転して搬送する反転機構１００が配設されている。
尚、手差しトレイ３５からの記録シート送出部は主搬送経路４１の水平部分に連通接続されており、本実施の形態では、記録シートとしてエンボスシートが適用される場合は、この手差しトレイ３５から手挿入で装置本体２０内へエンボスシートが投入されるようになっている。
【００１８】
更に、本実施の形態において、制御装置６０は、図３に示すように、例えばマイクロコンピュータシステム（ＣＰＵ６１，ＲＯＭ６２，ＲＡＭ６３，入出力インタフェース６４，６５）にて構成されており、ＲＯＭ６２にはエンボスシートモード時の作像プログラム、非エンボスシートモード時の作像プログラム及び下色除去プログラム等が予め格納されている。
そして、この制御装置６０は、装置本体２０（図２参照）側に設けられたエンボスシート選択スイッチ７１及び下色除去選択スイッチ７２等からの信号を、入力インタフェース６４を介してＣＰＵ６１に取り込み、ＣＰＵ６１が、記録シートがエンボスシートの場合は、エンボスシートモードでの作像制御を、また、記録シートが非エンボスシートの場合は、通常の非エンボスシートモードでの作像制御を行うように、所定の処理プログラムを実行し、出力インタフェース６５を介して、露光量７６、現像バイアス７７及び下色除去７８の作像条件を制御するようになっている。
【００１９】
次に、本実施の形態に係る画像形成装置の作動について、図２〜図４を用いて説明する。
今、エンボスシートを手差しトレイ３５にセットした後、各種選択スイッチ、具体的には図３に示すエンボスシート選択スイッチ７１を選択操作する（ステップＳ１）。
制御装置６０は、その信号を下に、記録シートにエンボスシートが適用されたことを確認し、露光量及び現像バイアスの変更を行う（ステップＳ２〜Ｓ４）。
このとき、エンボスシートの場合は、露光量や現像バイアスを弱める方向に変更する。
また、本例では、露光量及び現像バイアスの双方の変更を行う態様としたが、いずれか一方のみの変更であってもトナー層厚を薄くする方向であれば差し支えない。更に、本例では、エンボスシートモードは一種としたが、複数種あっても差し支えない。
【００２０】
上述のように作像条件が変更された後、露光装置２２２による感光体ドラム２２への露光は、その露光量を弱められ、更に、現像装置２２３での現像バイアスが弱められることから、感光体ドラム２２上のトナー層厚は通常より薄く形成されることとなる（ステップＳ５，Ｓ６）。
この薄くなったトナー像は、一次転写装置２２４によって中間転写ベルト２３上に転写された後、二次転写装置２４にて、手差しトレイ３５から搬送されたエンボスシート上に転写される（ステップＳ７，Ｓ８）。
そして、トナー像が転写されたエンボスシートは、搬送ロール４５を通って、定着ユニット２５で定着された後、排出トレイ５２へ排出される（ステップＳ９）。
尚、エンボスシートの選択がなされなかった場合は、ステップＳ２からステップＳ５の露光行程へ移ることとなる。
【００２１】
上述のように、トナー層厚が薄くなると、トナー層全体が保有する電荷が少なくなり、中間転写ベルト２３とトナーの静電気的付着力が弱まるため、二次転写装置２４での二次転写時の転写効率が向上する。
図５（ａ）（ｂ）は、トナー層厚が異なった際のエンボスシートへの転写過程を示す模式図である。図５（ａ）では、トナー層厚が厚い場合、中間転写ベルト２３とトナーとの静電気的付着力が強いため、エンボスシートの凹部（図の（Ａ）部分）での、二次転写ロール２４側へトナーを引っ張る静電吸引力（転写バイアスによる）が相対的に弱くなり、凹部へのトナー転写が不十分となる。一方、図５（ｂ）のように、トナー層厚が薄い場合は、中間転写ベルト２３とトナーとの静電的付着力が弱くなり、エンボスシートの凹部へもトナーの転写が行われることとなる。
【００２２】
従って、必要以上に転写電流を上げたり、中間転写ベルト２３の押しつけ力を上げる必要もなく、更に、中間転写ベルト２３表面にゴム層等の軟らかい層を保有しなくてもよく、エンボスシートとトナーを必ずしも接触させなくても転写不良による画像抜けの発生が抑制されることとなる。
また、トナー層厚を薄くすることで、エンボスシート上に転写されるトナー量は少なくなり、色再現性が低下するが、通常使用されるエンボスシートは、その色調がアイボリーやベージュ等の色付きが多いことから、どちらかというと色再現に対する市場での要求度は低く、実用上問題とならない。
従って、本件のように、エンボスシートの場合にトナー層厚を薄くすることで、画像抜けがなく、画質も滑らかな画像形成が可能となる。
【００２３】
ところで、本実施の形態では下色除去を実施しない態様を説明したが、下色除去を行うことも可能である。
図６（ａ）（ｂ）は、下色除去を説明する図であり、（ａ）はその概念図、（ｂ）は動作フローを示している。
例えば、図６（ｂ）が示すように、下色除去選択スイッチ７２が操作されると、制御装置６０で下色除去可能な箇所（Ｙ（イエロ），Ｍ（マゼンタ），Ｃ（シアン）の混色部位）をＫ（ブラック）に変換する制御が行われる（ステップＳ１１，Ｓ１２）。
そして、Ｋ（ブラック）トナー現像が行われることとなる（ステップＳ１６）。また、下色除去が選択されない場合は、通常のＹ（イエロ）トナー現像、Ｍ（マゼンタ）トナー現像、Ｃ（シアン）トナー現像が行われる（ステップＳ１３〜Ｓ１５）。
このとき、下色除去が行われることで、図６（ａ）に示すように、トナー層厚が薄くなる。
従って、この下色除去を行うことも、エンボスシートへの画像抜けを抑止する方向に役立つこととなる。
【００２４】
本実施の形態では、図２に示すように、感光体ドラム２２が１個でロータリ型現像を行う態様を示したが、例えば、複数の感光体ドラムに夫々現像器を備えた所謂タンデム型の画像形成装置においても、本実施の形態と同様にトナー層厚を薄くすることで、エンボスシートへの画像抜けのない画像形成が可能となる。
【００２５】
◎実施の形態２
本実施の形態に係る画像形成装置は、実施の形態１と略同様に構成され、実施の形態１とはエンボスシートの選択スイッチの態様が異なり、図７に示すような操作画面の表示の、例えば、タッチパネルによって、使用されるエンボスシートを手動で選択するようになっている。
【００２６】
図７に示すように、タッチパネルを備えた表示選択スイッチ７３には、各種のエンボスシート種が示されている。本例では、ボス、レザック６６、グランデー、ギルエッセ、ストライプ、コルキー、ハンマートーンＧＡ、もみがみを示しているが、これに限らず、エンボスシートとして通常用いられる種類であれば、他の名称を用いることも可能である。
そして、この表示選択スイッチ７３からの信号を基に制御装置８０を通して、露光量７６、現像バイアス７７の作像条件を変更するように構成されている。
【００２７】
本実施の形態では、表示選択スイッチ７３に示されているエンボスシートの種類によって、夫々最適なトナー層厚になる作像条件が、予め制御装置８０に組み込まれているため、使用されるエンボスシートの種類を、表示選択スイッチ７３によって選択するのみで、画像抜けのない画像形成が可能となる。
【００２８】
◎実施の形態３
本実施の形態に係る画像形成装置は、実施の形態１と略同様に構成されるが、実施の形態１と異なり、図８に示すように、制御装置９０にエンボスシートを自動的に判別するための周波数解析装置８３を備えたものである。
同図において、図示外の画像形成装置本体内には、ＣＣＤカメラ８２及び周波数解析装置８３が配設されており、搬送される記録シート８１の周波数解析結果により、制御装置９０にて記録シート８１がエンボスシートか否かを自動的に判別し、その信号に基づいて作像条件を変更するか否かを処理するように構成されている。
【００２９】
この制御装置９０は、図９に示すように、例えばマイクロコンピュータシステム（ＣＰＵ９１，ＲＯＭ９２，ＲＡＭ９３，入出力インタフェース９４，９５）にて構成されており、ＲＯＭ９２にはエンボスシートか否かを判別する判別プログラム、エンボスシートモード時の作像プログラム、非エンボスシートモード時の作像プログラム及び下色除去プログラム等が予め格納されている。
そして、この制御装置９０は、周波数解析装置８３、下色除去選択スイッチ７２等からの信号を、入力インタフェース９４を介してＣＰＵ９１に取り込み、ＣＰＵ９１が、記録シート８１がエンボスシートの場合は、エンボスシートモードでの作像制御を、また、記録シート８１が非エンボスシートの場合は、通常の非エンボスシートモードでの作像制御を行うように、所定の処理プログラムを実行し、出力インタフェース９５を介して、露光量７６、現像バイアス７７及び下色除去７８の作像条件を制御するようになっている。
尚、本実施の形態では、記録シート８１の表面凹凸深さを周波数解析装置８３によって解析することで、エンボスシートか否かを判別するように構成されている。
【００３０】
ここで、本実施の形態でのエンボスシート判別作用について、図１０を基にその作動を説明する。
ＣＣＤカメラ８２による画像取り込みが行われると、その内容を周波数解析装置８３による表面解析が行われ、その情報に基づいて制御装置で使用された記録シート８１がエンボスシートであるかどうか判別される（ステップＳ２１〜Ｓ２３）。
更に、エンボスシートの場合は、その凹凸が浅いか深いかによって、二区分され、夫々に適した露光量を選択するようになっている（ステップＳ２４〜Ｓ２６）。
そして、選択された露光量による露光が行われ、現像、一次転写、二次転写、定着が行われる（ステップＳ２７〜Ｓ３１）。
【００３１】
更にまた、エンボスシートの凹凸深さを確認する作用を、図８を使用し、より詳細に説明する。
本実施の形態では、ＣＣＤカメラ８２にて搬送される記録シート８１の画像を取り込むと、凹凸の深さに応じた濃淡画像が得られる。この場合、凹凸が浅いものほど白く、深いものほど黒くなる画像となる。この濃淡の差を周波数解析装置８３によって、凹凸の深さに換算するようにしたものである。
通常、エンボスシートは、凹凸模様を施した型（ロール）の間を通過させる際にその模様（凹凸）を形成するため、上述の濃淡画像はある程度決まった周波数成分を持つこととなる。従って、その周波数解析を行うことで、ある周波数でピークを持つような記録シート８１はエンボスシートであると判断することが可能となる。
尚、凹凸が３０μｍ以上であれば、この濃淡画像がより鮮明になるため、周波数解析による判別がいっそう容易になる。
【００３２】
そして、周波数解析装置８３からの情報に基づいて、制御装置９０にてエンボスシートであることが判断された場合は、露光量を弱める方向に作像条件を変更する。
尚、本例では、周波数解析装置８３を使用し、記録シート８１の凹凸深さを観測する態様を示したが、周波数解析装置８３の代わりに、例えば画像解析装置によって凹凸の沿面距離等を測定することで、凹凸深さの代用値とすることも差し支えない。
また、本実施の形態においても、下色除去選択スイッチ７２を操作することで、下色除去を行うことも可能である。
【００３３】
このように、本実施の形態においても、上述のような処理を行うことで、記録シート８１がエンボスシートの場合にトナー層厚を薄くするため、実施の形態１同様、画像抜けがなく、画質も滑らかな画像形成が可能となる。
【実施例１】
【００３４】
図１１は、エンボスシートを使用し、トナー層厚と画像抜けとの相関を確認した内容を示している。
本実施例では、富士ゼロックス（株）製のＤｏｃｕＣｅｎｔｒｅＣｏｌｏｒ
５００の改造機を使用し、エンボスシートとして、（株）竹尾などの洋紙販売会社で通常取り扱っているレザック６６及びボスを使用した。
トナー層厚は、通常条件では、単色（Ｃ，Ｍ，Ｙ，Ｋ）の場合は１０μｍ弱、二次色（Ｒ，Ｇ，Ｂ）の場合は１５μｍ弱、三次色（ＰＢ）の場合は２０μｍ弱となっている。
画像抜け評価は、画像抜けグレードとして次のように判定した。
Ｇ１は画像抜け発生なし、Ｇ２はＧ１と次のＧ３との間のレベル、Ｇ３は画像抜けはあるが気にならない、Ｇ４はＧ３と次のＧ５との間のレベル、Ｇ５は画像抜け発生がひどい、のように分類し、Ｇ１〜Ｇ３を合格レベルとして判定した。
【００３５】
評価結果は、図１１に示すように、レザック６６及びボス共に、トナー層厚を薄くすることで、画像抜けグレードが向上した。レザック６６とボスでは、ボスの方が凹凸が深いこともあり、トナー層厚を１５μｍから１０μｍ、５μｍと薄くしても、レザック６６より１ランク画像抜けが劣る結果となり、実用的なトナー層厚は、レザック６６で１０μｍ以下、ボスで５μｍ以下であればよいことが判明した。
また、この時の色再現については、通常より劣るが実用上問題ないレベルであった。
【図面の簡単な説明】
【００３６】
【図１】本発明に係る画像形成装置の概要を示す説明図である。
【図２】本発明が適用された画像形成装置の実施の形態１を示す説明図である。
【図３】実施の形態１の制御装置のブロック図である。
【図４】実施の形態１の作像方法を示すフローチャートである。
【図５】（ａ）（ｂ）はエンボスシートへのトナー転写を示す説明図である。
【図６】（ａ）は下色除去を示す概念図、（ｂ）は下色除去方法のフローチャートである。
【図７】本発明が適用された画像形成装置の実施の形態２におけるエンボスシート手動入力手段を示す説明図である。
【図８】本発明が適用された画像形成装置の実施の形態３における記録材自動判別手段を示す説明図である。
【図９】実施の形態３の制御装置のブロック図である。
【図１０】実施の形態３の作像方法を示すフローチャートである。
【図１１】実施例１の評価結果を示す説明図である。
【符号の説明】
【００３７】
１…記録材，２…作像手段，３…モード選択手段，４…作像制御手段，５…判別手段
【図１】
2005062473.tif 000003
【図２】
2005062473.tif 000004
【図３】
2005062473.tif 000005
【図４】
2005062473.tif 000006
【図５】
2005062473.tif 000007
【図６】
2005062473.tif 000008
【図７】
2005062473.tif 000009
【図８】
2005062473.tif 000010
【図９】
2005062473.tif 000011
【図１０】
2005062473.tif 000012
【図１１】
2005062473.tif 000013